(57)【要約】【課題】複数のエアインターフェイス規格をサポートする、無線アクセスネットワークの無線アクセス制御装置およびノードを提供する。【解決手段】本発明は、通信方法に関する。この方法は、無線ネットワーク制御装置（ＲＮＣ）によって、コアネットワークから必要とされるサービス品質（ＱｏＳ）のパラメータセットを受信するステップと、エアインターフェイスのセットから、必要とされるサービス品質のパラメータセットをサポートするエアインターフェイスを含むエアインターフェイスのサブセットを選択するステップと、エアインターフェイスのセットを備える無線アクセスネットワークのノードにこのサブセットを提供するステップと、ユーザ装置に必要とされるサービス品質を提供するために、ノードがこのサブセットからエアインターフェイスを選択するステップとを含む。【選択図】      図２
2004201289.tif 000002
【特許請求の範囲】
【請求項１】
無線ネットワーク制御装置（ＲＮＣ）によって、必要とされるサービス品質（ＱｏＳ）のパラメータセットをコアネットワークから受信するステップと、
エアインターフェイスのセットから、前記必要とされるサービス品質のパラメータセットをサポートするエアインターフェイスを含むエアインターフェイスのサブセットを選択するステップと、
前記エアインターフェイスのセットを備える無線アクセスネットワークのノードに前記サブセットを提供するステップと、
ユーザ装置に前記必要とされるサービス品質を提供するために、前記ノードによって前記サブセットからエアインターフェイスを選択するステップとを含む、通信方法。
【請求項２】
無線ネットワーク制御装置によって監視リストを受信するステップをさらに含み、前記監視リストが、前記エアインターフェイスのセットを含み、該エアインターフェイスのセットによって、前記ノードが前記ユーザ装置と通信リンクを実際に確立することができる、請求項１に記載の方法。
【請求項３】
前記エアインターフェイスのセットの中の空きデータ伝送容量を有さない少なくとも１つのエアインターフェイスを示すデータを受信するステップと、
前記サブセットから前記少なくとも１つのエアインターフェイスを除外するステップとをさらに含む、請求項１に記載の方法。
【請求項４】
前記エアインターフェイスを選択するステップが、ロードバランシングおよび／または前記エアインターフェイスの現在の可用性に基づいて前記ノードによって実施される、請求項１に記載の方法。
【請求項５】
前記エアインターフェイスのセットから選択されたエアインターフェイスによって、第１の通信リンクを確立し、前記選択されたエアインターフェイスの第１のデータフレームフォーマットをもつデータフレームを送信するステップと、
前記第１のデータフレームフォーマットを、前記エアインターフェイスのセットの別のエアインターフェイスの第２のデータフレームフォーマットにマッピングするステップと、
前記選択されたエアインターフェイスを前記別のインターフェイスで置き換え、前記別のエアインターフェイスによって確立された第２の通信リンクを介して、前記第２のエアインターフェイスフォーマットをもつ前記マッピングされたデータフレームを送信するステップとをさらに含む、請求項１に記載の方法。
【請求項６】
前記選択されたエアインターフェイスがＵＭＴＳエアインターフェイスであり、前記第１のエアインターフェイスフォーマットがＨＳＤＰＡであり、前記別のエアインターフェイスがＷＬＡＮであり、前記第２のエアインターフェイスフォーマットがＷＬＡＮフレームである、請求項５に記載の方法。
【請求項７】
デジタル記憶媒体などのコンピュータプログラム製品であって、
無線ネットワーク制御装置によってコアネットワークから受信された、必要とされるサービス品質のパラメータセットを入力するステップと、
エアインターフェイスのセットから、前記必要とされるサービス品質のパラメータセットをサポートするエアインターフェイスを含むエアインターフェイスのサブセットを選択するステップと、
前記サブセットを出力して、前記エアインターフェイスのセットを備える無線アクセスネットワークのノードに前記サブセットを提供し、前記必要とされるサービス品質をユーザ装置に提供するために、前記ノードが前記サブセットからエアインターフェイスを選択できるようにするステップとを実行するコンピュータプログラム手段を含む、コンピュータプログラム製品。
【請求項８】
コアネットワークから必要とされるサービス品質のパラメータセットを受信する手段（１０８）と、
エアインターフェイス（１２２、１２４、１２６．．．）のセット（１２０）から、必要とされるサービス品質をサポートするエアインターフェイスを含むエアインターフェイスのサブセットを選択する手段（１１２、１１４）と、
前記エアインターフェイスのセットを備える無線アクセスネットワークのノード（１０６）に前記サブセットを提供する手段（１０８）とを含む、無線アクセスネットワークの無線ネットワーク制御装置。
【請求項９】
エアインターフェイスのセットを備える無線アクセスネットワークのノードであって、
前記無線アクセスネットワークの無線ネットワーク制御装置（１０４）からエアインターフェイスのサブセットを受信する手段（１３２）と、
ユーザ装置に必要とされるサービス品質を提供するために前記サブセットからエアインターフェイスを選択する手段（１３４）とを含み、該エアインターフェイスを選択する手段（１３４）が、ロードバランシングおよび／または前記サブセットのエアインターフェイスの現在の可用性に基づいて選択を実施するように構成された、無線アクセスネットワークのノード。
【請求項１０】
請求項８に記載の無線ネットワーク制御装置および請求項９に記載のノードを含み、前記ノードが前記無線ネットワーク制御装置に結合される、通信システム。
【発明の詳細な説明】
【技術分野】
【０００１】
本発明は、無線アクセスネットワークの分野に関し、より詳細には、それだけには限らないが、複数の通信規格をサポートする無線アクセスネットワークに関する。
【背景技術】
【０００２】
ＵＭＴＳは、標準化されており、現在発展中の無線通信方法である。それに対応する規格、具体的には、様々なＵＭＴＳの拡張版、すなわちＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンクパケットアクセス）およびＭＡＣプロトコル仕様にそれぞれ関する、３ＧＰＰ  ＴＳ  ２５．３０８  Ｖｅｒｓｉｏｎ  ５．２．０、２００２年３月および３ＧＰＰ  ＴＳ  ２５．３２１  Ｖｅｒｓｉｏｎ  ５．２．０、２００２年９月の全体を、参照によって本明細書に組み込む。
【０００３】
ＩＥＥＥ  ８０２．１１などの他の無線規格は、移動電話、ラップトップコンピュータ、ヘッドセット、およびＰＤＡ（Ｐｅｒｓｏｎａｌ  Ｄｉｇｉｔａｌ  Ａｓｓｉｓｔａｎｔ：携帯情報端末）などの移動装置が、互いに、また有線ＬＡＮ（Ｌｏｃａｌ  Ａｒｅａ  Ｎｅｔｗｏｒｋ：ローカルエリアネットワーク）と通信できるように構成されている。こうした移動装置は、無線ＬＡＮ（ＷＬＡＮ）の間の転送を行うことができ、一部の移動装置では、異なるタイプの無線ネットワークの間（ＷＬＡＮとセルラ移動通信ネットワークとの間など）の転送を行うことができる。一般に、こうした転送には、移動装置が転送を行えるように、新しいＷＬＡＮと新たに接続を確立する必要がある。こうした技術は、異なる移動装置のために共通の接続方法を提供し、したがって、移動電話、ラップトップ、ヘッドセット、ＰＤＡ、および他の装置が、オフィスで、および最終的には公共の場所で、容易にネットワーク接続を行うことを可能にする。ＩＥＥＥ（Ｉｎｓｔｉｔｕｔｅ  ｏｆ  Ｅｌｅｃｔｒｉｃａｌ  ＆  Ｅｌｅｃｔｒｏｎｉｃｓ  Ｅｎｇｉｎｅｅｒｓ：電気電子技術者協会）８０２．１１およびＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ：ヨーロッパ電気通信標準化協会）ＨＩＰＥＲＬＡＮ／２などの規格は、無線接続機能を提供し、ＷＬＡＮ（Ｗｉｒｅｌｅｓｓ  ＬＡＮ：無線ＬＡＮ）通信をサポートするために使用することができる。ＩＥＥＥ  ８０２．１１「Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ  Ｓｐｅｃｉｆｉｃａｔｉｏｎｓ」を参照されたい。参照によってその教示全体を本明細書に組み込む。ＥＴＳＩ文献ＴＲ  １０１  ６８３号「Ｂｒｏａｄｂａｎｄ  Ｒａｄｉｏ  Ａｃｃｅｓｓ  Ｎｅｔｗｏｒｋｓ（ＢＲＡＮ）；ＨＩＰＥＲＬＡＮ  Ｔｙｐｅ  ２；Ｓｙｓｔｅｍ  Ｏｖｅｒｖｉｅｗ」など、ＨＩＰＥＲＬＡＮ／２のＥＴＳＩ仕様も同様に参照されたい。参照によってその教示全体を本明細書に組み込む。
【０００４】
一部の移動装置は、異なるタイプの無線通信ネットワーク間、たとえばＷＬＡＮネットワーク（Ｂｌｕｅｔｏｏｔｈすなわち前述のＩＥＥＥ  ８０２．１１）と、移動通信ネットワーク、たとえば移動電話通信プロトコル（ＣＭＴＳ（Ｃｅｌｌｕｌａｒ  Ｍｏｂｉｌｅ  Ｔｅｌｅｐｈｏｎｅ  Ｓｙｓｔｅｍ：セルラ移動電話システム）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ：移動通信のためのグローバルシステム）、ＰＣＳ（Ｐｅｒｓｏｎａｌ  Ｃｏｍｍｕｎｉｃａｔｉｏｎｓ  Ｓｅｒｖｉｃｅｓ：パーソナル通信サービス）、またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ユニバーサル移動通信システム）など）に基づくネットワークとの間を移動することができる。
【０００５】
たとえば、移動装置（ラップトップコンピュータやＰＤＡなど）は、通信インターフェイス（通信ハードウエアおよびソフトウエアなど）を含み、このインターフェイスによって、移動装置は２つ（または複数）の異なるタイプの無線ネットワークと通信することができる。一般に、移動装置が移動し、異なるタイプの無線ネットワークにアクセスするとき、現無線ネットワークとの現通信セッションは終了し、移動装置は、新たにアクセスされた無線ネットワークと新しい通信セッション（新しい通信）を確立する。
【０００６】
【非特許文献１】ＩＥＥＥ  ８０２．１１「Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ  Ｓｐｅｃｉｆｉｃａｔｉｏｎｓ」
【非特許文献２】ＥＴＳＩ文献ＴＲ  １０１  ６８３号「Ｂｒｏａｄｂａｎｄ  Ｒａｄｉｏ  Ａｃｃｅｓｓ  Ｎｅｔｗｏｒｋｓ（ＢＲＡＮ）；ＨＩＰＥＲＬＡＮ  Ｔｙｐｅ  ２；Ｓｙｓｔｅｍ  Ｏｖｅｒｖｉｅｗ」
【非特許文献３】３ＧＰＰ  ＴＳ  ２５．３２１  Ｖ５．２．０（２００２−０９），「Ｔｅｃｈｎｉｃａｌ  Ｓｐｅｃｉｆｉｃａｔｉｏｎ，３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＭＡＣ  Ｐｒｏｔｏｃｏｌ  Ｓｐｅｃｉｆｉｃａｔｉｏｎ（Ｒｅｌｅａｓｅ５）」
【発明の開示】
【発明が解決しようとする課題】
【０００７】
本発明の目的は、こうした複数のエアインターフェイスをサポートする移動装置の使用を改善することができる、改良された通信方法を提供することである。具体的には、本発明の目的は、無線アクセスネットワークの改良された無線ネットワーク制御装置および改良されたノードを提供することである。
【課題を解決するための手段】
【０００８】
本発明は、複数のエアインターフェイス規格をサポートする無線アクセスネットワークの無線アクセス制御装置およびノードを提供する。アクティブなユーザ装置が、２つ以上のエアインターフェイスによってカバーされるゾーン内に存在している場合、使用可能な帯域幅リソースをより効率的に使用するために、使用可能なインターフェイスのうちから選択を行う。
【０００９】
たとえば、エンドユーザ装置にデータをストリーミングするために、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンクパケットアクセス）伝送が確立される。伝送が確立された後に、たとえば、他のユーザが通信サービスを要求することによって、ボトルネック状態が発生する。こうしたボトルネック状態は、ＨＳＤＰＡ接続の物理層をＷＬＡＮなど別の物理層で置き換え、ＨＳＤＰＡフレームをＷＬＡＮフレーム構造にマッピングすることによって解決することができる。このようにして、ＨＳＤＰＡ伝送を維持しながら、ＵＭＴＳエアインターフェイスとＷＬＡＮエアインターフェイスとの間のシームレスな切り換えが得られる。物理層の置き換えが、他の理由、たとえば干渉、トランシーバの障害、あるいはネットワーク運用者による判断によって行われることも妥当となり得る。
【００１０】
本発明の好ましい一実施形態によれば、複数規格の無線ネットワーク制御装置は、コアネットワークからサービス品質のパラメータセットを受信する。これは、アクティブなユーザ装置からの通信サービス要求の一部である。さらに、無線ネットワーク制御装置は、ノードＢなどそれぞれのネットワークノードから、エアインターフェイスの現在の可用性を示すデータを受信する。たとえば、１つまたは複数のエアインターフェイスは、そのそれぞれの帯域幅リソースに空きがないので使用不可能となり得る。
【００１１】
さらに、無線ネットワーク制御装置は、ユーザ装置の現在位置からユーザ装置が「見える」エアインターフェイスを示す監視リストを、要求元のユーザ装置から受信する。ユーザ装置からの監視リストと無線アクセスノードからの可用性データとを組み合わせることによって、無線ネットワーク制御装置に、そのうちから選択することができる、エアインターフェイスのセットを提供する。
【００１２】
無線ネットワーク制御装置は、こうしたエアインターフェイスのセットから１つまたは複数のインターフェイスを選択する。このために無線ネットワーク制御装置は、使用可能なエアインターフェイスのセットから、サービス品質要件と最も合致しているこうしたエアインターフェイスを識別する。この「候補リスト」は、無線ネットワーク制御装置から無線アクセスノードに提供される。無線アクセスノードのレベルで、候補リストからの最終的な選択が行われる。こうした選択は、ロードバランシング方法または他の基準に基づいて行うことができる。
【００１３】
最終選択を行った後、必要とされるサービス品質を有する通信リンクを、要求元のユーザ装置との間で確立する。ボトルネック状態が発生した場合、確立された通信リンクの物理層を、現エアインターフェイスを別のエアインターフェイスで置き換えることによって変更することができる。こうした移行は、通信の上位層に影響を及ぼさずにシームレスに行うことができる。このようにして、同じまたは重複する領域をカバーしている複数規格のエアインターフェイスのチャネル容量の組合せを、より効率的に利用することができる。
【００１４】
以下に、本発明の好ましい実施形態を、図面を参照してより詳細に説明する。
【発明を実施するための最良の形態】
【００１５】
図１は、コアネットワーク１０２と、コアネットワーク１０２に結合された無線ネットワーク制御装置（ＲＮＣ）１０４と、無線ネットワーク制御装置１０４に結合された複数のノードＢ１０６とを含む、通信システム１００のブロック図である。
【００１６】
ＲＮＣ１０４は、無線リソース制御コンポーネント１１０と、複数のエアインターフェイス規格をサポートする無線リソース管理（ＲＲＭ）コンポーネントとを含む、制御プレーン１０８を備える。このコンポーネントは、以下では、ＭｘＲＲＭ１１２と称する。制御プレーン１０８は、ノードＢ１０６によってサポートされるすべてのエアインターフェイスのリスト１１４を含む。エアインターフェイスはそれぞれ、所与のエアインターフェイスが提供することができるサービス品質（ＱｏＳ）を表すＱｏＳ情報を有する。
【００１７】
さらにＲＮＣ１０４は、ユーザプレーン１１６を備える。ユーザプレーン１１６は、アクティブな通信リンクごとに、ＲＬＣ／ＭＡＣ−ｄコンポーネント１１８を備える。ＭＡＣ−ｄは、ＭＡＣ副層のＭＡＣエンティティであり、コンポーネント１１８の無線リンク制御（ＲＬＣ）／ＭＡＣ−ｄ機能の詳細については、それに対応する規格の定義、たとえば、３ＧＰＰ  ＴＳ  ２５．３２１  Ｖ５．２．０（２００２−０９），Ｔｅｃｈｎｉｃａｌ  Ｓｐｅｃｉｆｉｃａｔｉｏｎ，３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；ＭＡＣ  Ｐｒｏｔｏｃｏｌ  Ｓｐｅｃｉｆｉｃａｔｉｏｎ（Ｒｅｌｅａｓｅ５）を参照のこと。
【００１８】
ＲＬＣ／ＭＡＣ−ｄコンポーネント１１８を介して確立された各無線リンクごとのユーザデータは、コアネットワーク１０２から提供される。コアネットワーク１０２からユーザプレーン１１６へユーザデータを伝送するには、ＴＣＰ／ＩＰまたはＡＴＭプロトコルを使用することができる。
【００１９】
ノードＢ１０６は、エアインターフェイス１２２、１２４、１２６．．．のセット１２０を含む。
【００２０】
各エアインターフェイス１２２、１２４、１２６．．．ごとに、対応するＭＡＣ（Ｍｅｄｉｕｍ  Ａｃｃｅｓｓ  Ｃｏｎｔｒｏｌ：媒体アクセス制御）コンポーネントがあり、すなわちエアインターフェイス１２２にはＭＡＣコンポーネント１２８が、エアインターフェイス１２４にはＭＡＣコンポーネント１３０がある。
【００２１】
たとえば、エアインターフェイス１２２は、ＴｘＨＳＤＰＡタイプのエアインターフェイス、エアインターフェイス１２４は、ＴｘＷＬＡＮタイプのエアインターフェイス、エアインターフェイス１２６は、ＴｘＵＭＴＳ−ＦＤＤのエアインターフェイスである。ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）、Ｂｌｕｅｔｏｏｔｈなど様々な追加のエアインターフェイスをサポートすることができる。
【００２２】
それ自体従来技術で知られているように、ＭＡＣコンポーネント１２８、１３０．．．は、それぞれの無線リンクを制御するためにＲＬＡ（Ｒａｄｉｏ  Ｌｉｎｋ  Ａｄａｐｔａｔｉｏｎ：無線リンクアダプテーション）情報を受信する。
【００２３】
すべてのＭＡＣコンポーネント１２８、１３０．．．は、ＭｘＭＡＣユニット１３２に含まれ、したがって、このＭｘＭＡＣユニット１３２が、様々なエアインターフェイス１２２、１２４、１２６．．．のためのＭＡＣ機能を提供する。
【００２４】
さらに、ＭｘＭＡＣユニット１３２は、エアインターフェイス選択コンポーネント１３４およびフレームマッピングコンポーネント１３６を含む。
【００２５】
動作において、ノードＢ１０６は、ＲＮＣ１０４の制御プレーン１０８に、セット１２０に含まれるエアインターフェイスのリソース可用性について通知する。このようにして、エアインターフェイス１２２、１２４、１２６のうちで、データ伝送容量を全部使って動作している１つまたは複数のインターフェイスを識別する。あるいは、まだ使用可能なエアインターフェイス１２２、１２４、１２６を識別する。
【００２６】
アクティブなユーザ装置が、通信サービスを要求した場合、ＭｘＲＲＭ１１２は、ＲＲＣコンポーネント１１０から対応する監視リストを受信する。監視リストは、複数規格のユーザ装置から現在「見える」エアインターフェイスのリストを含んでいる。さらに制御プレーン１０８は、ユーザ装置からの要求のサービス品質要件をコアネットワーク１０２から受信する。
【００２７】
監視リストとリソース可用性情報を組み合わせて、リスト１１４に含まれる使用可能なエアインターフェイスのセットを限定する。使用可能なエアインターフェイスのセットから、コアネットワーク１０２から受信したサービス品質要件に最も合致するそのようなエアインターフェイスを識別するために、ＭｘＲＲＭコンポーネント１１２によって、使用可能なエアインターフェイスのセットに対して照会が行われる。
【００２８】
照会の結果、１つまたは複数のエアインターフェイスが得られ、それによって「候補リスト」が提供される。候補リストは、制御プレーン１０８からＭｘＭＡＣ１３２に提供される。ＭｘＭＡＣ１３２のエアインターフェイス選択コンポーネントは、候補リストに含まれるエアインターフェイスのうちの１つを選択する。たとえば、こうした選択は、ロードバランシング基準または他の適切な基準に基づいて実施されることができる。
【００２９】
たとえば、ユーザ装置が、データストリーミングの要求をする。候補リストは、ＨＳＤＰＡエアインターフェイス１２２およびＷＬＡＮエアインターフェイス１２４を含んでいる。ＨＳＤＰＡエアインターフェイス１２２が、既にそのほぼ最大容量で動作しており、ＷＬＡＮエアインターフェイス１２４が、そのデータトラフィックが比較的少ない場合、エアインターフェイス選択モジュール１３４は、その結果として、ロードバランシングのためにＷＬＡＮエアインターフェイス１２４を選択する。この場合、要求元ユーザ装置とのデータストリーミング接続は、エアインターフェイス１２４を介して確立される。ユーザ装置からノードＢ／ＲＮＣへの制御情報は、エアインターフェイス１２４またはエアインターフェイス１２２を介して同時に伝送することができる。
【００３０】
セット１２０の所与のインターフェイスに関してボトルネック状態が発生し、セット１２０の他のエアインターフェイスには未使用の容量がある場合、既存の通信リンクの物理層を置き換えることができる。このために、フレームマッピングコンポーネント１３６は、確立されている通信リンクのデータフレームを代替の物理層のデータフレームにマッピングする。このように、物理トランスポート層だけを変更し、通信の上位層は変更しない。このようにして、重複してカバーされているゾーン内で、ある物理層から別の物理層へのシームレスな切り換えが実現される。それによって、要求元ユーザ装置が位置するゾーンを重複してカバーしている、セット１２０の使用可能なエアインターフェイスのチャネル容量の組合せを十分に利用することが可能になる。
【００３１】
図２に、対応するフローチャートを示す。
【００３２】
ステップ２００で、ＲＮＣ（図１のＲＮＣ１０４参照）は、コアネットワークからサービス品質要件を受信する。さらに、ステップ２０２で、ＲＲＣから監視リストを受信する。それに応答して、ステップ２０４で、ＲＮＣは、サービス品質要件と最も合致する適切なエアインターフェイス候補リストを選択する。図１に関して説明したように、ステップ２０６で、この候補リストを、ＭｘＭＡＣを備えるノードＢに提供する。
【００３３】
ステップ２０８で、ＭｘＭＡＣは、たとえばロードバランシング基準に基づいて、候補リストからエアインターフェイスを選択する。ステップ２１０で、選択したエアインターフェイスを介して通信リンクを確立する。ボトルネック状態が発生した場合に、あるいはロードバランシングを改善するために、ＭｘＭＡＣのエアインターフェイス選択コンポーネントは、現物理層を別の物理層で置き換えることによって、エアインターフェイスの選択を「動作中に」変更することができる。これはステップ２１２で行う。物理層を変更するために、確立された通信リンクのフレームを、別の物理層フォーマットに再マッピングする。これはステップ２１４で行う。
【００３４】
たとえば、ステップ２１０で、要求元のユーザ装置へデータをストリーミングするために、ＨＳＤＰＡ通信リンクが確立される。ＨＳＤＰＡの容量が不足してくると、ＭｘＭＡＣのエアインターフェイス選択コンポーネントが、ＨＳＤＰＡ物理層すなわちＵＭＴＳをＷＬＡＮ物理層で置き換える決定をする。この目的で、ＨＳＤＰＡデータフレームをＷＬＡＮデータフレームにマッピングし、確立された通信リンクにその他の点では影響を及ぼさずに、ＷＬＡＮエアインターフェイスを介してユーザ装置に送信する。
【００３５】
上述の方法は、進行中のプロセスとして実施することができることに留意されたい。具体的には、制御は、ステップ２１４から２１２に戻り、エアインターフェイスの選択を適応的に変更することができる。
【図面の簡単な説明】
【００３６】
【図１】無線ネットワーク制御装置およびノードＢの一実施形態を含む、無線アクセスネットワークのブロック図である。
【図２】本発明の一実施形態のフローチャートである。
【符号の説明】
【００３７】
１００  通信システム
１０２  コアネットワーク
１０４  無線ネットワーク制御装置（ＲＮＣ）
１０６  ノードＢ
１０８  制御プレーン
１１０  無線リソース制御（ＲＲＣ）コンポーネント
１１２  ＭｘＲＲＭ
１１４  リスト
１１６  ユーザプレーン
１１８  ＲＬＣ／ＭＡＣ−ｄコンポーネント
１２０  セット
１２２、１２４、１２６  エアインターフェイス
１２８、１３０  媒体アクセス制御（ＭＡＣ）コンポーネント
１３２  ＭｘＭＡＣユニット
１３４  エアインターフェイス選択コンポーネント
１３６  フレームマッピングコンポーネント
【図１】
2004201289.tif 000003
【図２】
2004201289.tif 000004
【外国語明細書】
2004201289.tif 000005
2004201289.tif 000006
2004201289.tif 000007
2004201289.tif 000008
2004201289.tif 000009
2004201289.tif 000010
2004201289.tif 000011
2004201289.tif 000012
2004201289.tif 000013
2004201289.tif 000014
2004201289.tif 000015
2004201289.tif 000016
2004201289.tif 000017
2004201289.tif 000018
2004201289.tif 000019
2004201289.tif 000020